(57)【要約】【課題】  コントラストを向上させるＡＷＤ駆動方法によるプラズマ表示装置及びその駆動方法を提供する。【解決手段】  維持放電パルスが印加される第１電極及び第２電極と、前記第１電極及び第２電極と同じ方向に伸びている第３電極と、前記第１電極、第２電極及び第３電極に交差する方向に伸びている第４電極と、を含むプラズマ表示装置の駆動方法において、（ａ）第１期間に、前記第１電極または第２電極に交互に維持放電パルスを印加する段階と、（ｂ）前記第１期間の一部期間に、前記第３電極にリセット波形を印加する段階と、を含む。【選択図】  図６
2005346050.tif 000002
【特許請求の範囲】
【請求項１】
維持放電パルスが印加される第１電極及び第２電極と、前記第１電極及び第２電極と同じ方向に伸びている第３電極と、前記第１電極、第２電極及び第３電極に交差する方向に伸びている第４電極と、を含むプラズマ表示装置の駆動方法において、
（ａ）第１期間に、前記第１電極または第２電極に交互に維持放電パルスを印加する段階と、
（ｂ）前記第１期間の一部期間に、前記第３電極にリセット波形を印加する段階と、
を含むことを特徴とするプラズマ表示装置の駆動方法。
【請求項２】
前記リセット波形は、第１電圧から第２電圧まで緩慢に下降する電圧の波形であることを特徴とする請求項１に記載のプラズマ表示装置の駆動方法。
【請求項３】
（ｃ）前記段階（ｂ）以降に、前記第３電極にスキャンパルスを印加し、前記第４電極にアドレス電圧を印加する段階を更に含むことを特徴とする請求項１または請求項２に記載のプラズマ表示装置の駆動方法。
【請求項４】
（ｃ）前記段階（ｂ）以降に、前記第１電極と対応する第３電極に第１スキャンパルスを印加し、前記第２電極と対応する第３電極に第２スキャンパルスを印加し、前記第３電極にアドレス電圧を印加する段階を更に含むことを特徴とする請求項１に記載のプラズマ表示装置の駆動方法。
【請求項５】
前記リセット波形は、前記第１電極または第２電極に複数の維持放電パルスを印加する期間に、前記第３電極に印加されることを特徴とする請求項１に記載のプラズマ表示装置の駆動方法。
【請求項６】
前記段階（ｃ）以降に、前記第３電極に第３電圧をバイアスさせることを特徴とする請求項３に記載のプラズマ表示装置の駆動方法。
【請求項７】
前記第１電圧と前記第３電圧とは同じ電圧であることを特徴とする請求項６に記載のプラズマ表示装置の駆動方法。
【請求項８】
維持放電パルスが印加される第１電極及び第２電極と、前記第１電極及び第２電極と同じ方向に伸びている第３電極と、前記第１電極、第２電極及び第３電極に交差する方向に伸びている第４電極と、を含むプラズマ表示装置の駆動方法において、
（ａ）第１期間に、前記第１電極または第２電極に交互に維持放電パルスを印加する段階と、
（ｂ）前記第１期間の一部期間に、前記第３電極にスキャンパルスを印加し、前記第４電極にアドレス電圧を印加する段階と、
を含むことを特徴とするプラズマ表示装置の駆動方法。
【請求項９】
前記第１電極、第２電極、第３電極及び第４電極はそれぞれ複数であり、前記第１電極、第２電極、第３電極及び第４電極が隣接したそれぞれのところに放電セルが形成され、
ｊ番目の放電セルの前記第３電極にスキャンパルスが印加されてアドレス動作が行われる間に、ｍ番目の放電セルの前記第１電極または前記第２電極に維持放電パルスが印加されて維持放電が行われることを特徴とする請求項１または請求項８に記載のプラズマ表示装置の駆動方法。
【請求項１０】
所定の数の前記第３電極に、前記リセット波形が同時に印加されることを特徴とする請求項９に記載のプラズマ表示装置の駆動方法。
【請求項１１】
全期間において、前記第１電極と前記第２電極とに印加される波形は同じ波形であることを特徴とする請求項１または請求項８に記載のプラズマ表示装置の駆動方法。
【請求項１２】
前記第３電極は、前記第１電極と第２電極との間に設けられることを特徴とする請求項１または請求項８に記載のプラズマ表示装置の駆動方法。
【請求項１３】
維持放電電圧パルスが印加されるＸ電極及びＹ電極と、前記Ｘ電極及び前記Ｙ電極と同じ方向に伸びているＭ電極と、前記Ｘ電極、Ｙ電極及びＭ電極に交差する方向に絶縁されながら伸びているアドレス電極と、を含むプラズマディスプレイパネルと、
放電セルを選択するための表示データ信号を前記アドレス電極に印加するアドレス駆動部と、
前記Ｘ電極またはＹ電極に維持放電を行うための維持放電パルスを、第１期間に印加するＸ電極駆動部及びＹ電極駆動部と、
前記Ｘ電極またはＹ電極に維持放電パルスが印加される間に、前記Ｍ電極にスキャンパルスを印加するＭ電極駆動部と、
前記アドレス駆動部、前記Ｘ電極駆動部、前記Ｙ電極駆動部及び前記Ｍ電極駆動部に制御信号を供給するための制御部と、
を備えることを特徴とするプラズマ表示装置。
【請求項１４】
前記Ｍ電極駆動部は、
前記スキャンパルスが印加される前に、前記第１期間の一部期間に、前記Ｍ電極に第１電圧から第２電圧まで下降するリセット波形を印加することを特徴とする請求項１３に記載のプラズマ表示装置。
【請求項１５】
前記Ｍ電極駆動部は、前記Ｘ電極または前記Ｙ電極に複数の維持放電パルスを印加する期間に、前記Ｍ電極にリセット波形を印加することを特徴とする請求項１３に記載のプラズマ表示装置。
【請求項１６】
前記Ｍ電極は、前記第１電極と第２電極との間に設けられることを特徴とする請求項１３に記載のプラズマ表示装置
【発明の詳細な説明】
【技術分野】
【０００１】
本発明はプラズマ表示装置及びその駆動方法に関する。
【背景技術】
【０００２】
プラズマ表示装置は、気体放電によって生成されたプラズマを利用して文字または映像を表示する平面表示装置であり、その主要部であるプラズマディプレイパネルには、大きさに応じて数十〜数百万個以上の画素がマトリックス状に配列されている。このようなプラズマ表示装置は、印加される駆動電圧波形の形態及び放電セルの構造によって、直流型（ＤＣ型）と交流型（ＡＣ型）とに区分され、それぞれ特徴的な駆動回路を備えている。
【０００３】
直流型プラズマ表示装置は、プラズマディプレイパネルに設けられた電極が放電空間にそのまま露出されているので、その電極に電圧が印加される間に、電流が放電空間にそのまま流れるようになるため、電流を制限するための抵抗素子が必要である。
【０００４】
交流型プラズマ表示装置は、プラズマディプレイパネルに設けられた電極が誘電体層で覆われているので、自然的に電極の間にキャパシタンスが形成され、電極に流れる電流の量も制限される。このような交流型プラズマ表示装置は、放電が起こる時に誘電体層が二次電子の衝突から電極を保護するので、直流型プラズマ表示装置より寿命が長い。
【０００５】
図１は、ＡＣ型プラズマディスプレイパネルの一部斜視図である。
【０００６】
図１に示すように、プラズマディスプレイパネルは、互いに対向して離れている二枚のガラス基板１、６を含む。ガラス基板１の対向面上には、走査電極４と維持電極５が対をなして平行に形成されており、走査電極４と維持電極５は誘電体層２及び保護膜３で覆われている。次に、ガラス基板６上には複数のアドレス電極８が形成されており、アドレス電極８は絶縁体層７で覆われている。アドレス電極８の間を埋める絶縁体層７上には、アドレス電極８に平行な隔壁９が形成されている。また、絶縁体層７の表面及び隔壁９の両側面に蛍光体１０が形成されている。ガラス基板１、６は、走査電極４とアドレス電極８が直交し、維持電極５とアドレス電極８が直交するように、放電空間１１を隔てて対向配置されている。走査電極４及び維持電極５がアドレス電極８と交差する部分にある放電空間１１と、これら３種電極とが放電セル１２を形成する。
【０００７】
そして、図２に示すように、プラズマディスプレイパネルの電極は、ｎ×ｍのマトリックス構造を有している。縦方向にｍ列のアドレス電極（Ａ１−Ａｍ）が配置されており、横方向にｎ行の走査電極（Ｙ１−Ｙｎ）及び維持電極（Ｘ１−Ｘｎ）が並んで交互に配置されている。
【０００８】
一般に、プラズマ表示装置での一つのフレームはリセット期間、アドレス期間、維持期間からなる複数のサブフィールドに分割される。
【０００９】
リセット期間は、放電セル（以下、“セル”ともいう）に対するアドレシング動作が円滑に行われるようにするため、各セルの状態を初期化させる期間であり、アドレス期間は、プラズマ表示パネル上の点灯させるセルと点灯させないセルを区別するために、点灯させるセル（アドレスされたセル）に壁電荷を蓄積する動作を行う期間である。維持期間は、アドレスされたセルに映像を表示するための放電を行う期間である。
【００１０】
図１及び図２に示すプラズマディスプレイパネルを駆動するためには、一般に、アドレス−ディスプレイ分離駆動方法（Ａｄｄｒｅｓｓ−Ｄｉｓｐｌａｙ Ｓｅｐａｒａｔｉｏｎ、以下、“ＡＤＳ駆動方法”ともいう）が用いられる。
【００１１】
図３は、通常のＡＤＳ駆動方法によるフレーム分割法を表す図面である。
【００１２】
図３を参照すると、プラズマ表示装置は、単位フレームを八つのサブフィールド（ＳＦ１〜ＳＦ８）に分割し、時分割階調を表現する。また、各サブフィールド（ＳＦ１〜ＳＦ８）はリセット期間（図示せず）、アドレス期間（Ａ１〜Ａ８）及び維持期間（Ｓ１〜Ｓ８）に分割される。
【００１３】
リセット期間では、全てのＹ電極に消去波形を印加して、直前の維持期間で形成された壁電荷を消去させた後、リセット波形を印加して、アドレス動作が円滑に行われるように各セルの状態を初期化させる。
【００１４】
アドレス期間（Ａ１〜Ａ８）では、各走査電極（Ｙ１〜Ｙｎ）に走査パルスを順次に印加すると同時に、アドレス電極（図２のＡ１〜Ａｍ）にアドレス信号を印加する。このように、走査電極に走査パルスが印加される間に、アドレス電極にアドレスパルスが印加される放電セルには、アドレス放電によって壁電荷が形成され、印加されない放電セルには壁電荷が形成されない。
【００１５】
維持期間（Ｓ１〜Ｓ８）では、全ての走査電極（Ｙ１〜Ｙｎ）と全ての維持電極（Ｘ１〜Ｘｎ）に維持放電パルスが交互に印加されて、アドレス期間（Ａ１〜Ａ６）に壁電荷を形成した放電セルで、維持放電が起こる。
【００１６】
プラズマディスプレイパネルの輝度は、画素毎に単位フレーム期間に占める放電維持期間（Ｓ１〜Ｓ８）の合計長さに比例する。単位フレームに占める全維持期間（Ｓ１〜Ｓ８）の長さは、２５５Ｔ（Ｔは単位時間）である。したがって、単位フレームでは、一度も放電されない場合を含んだ２５６の階調を表示することができる。
【００１７】
このようなＡＤＳ駆動方法では、単位フレーム期間は、サブフィールド（ＳＦ１〜ＳＦ８）期間に分割され、各サブフィールド期間（ＳＦ１〜ＳＦ８）は、リセット期間、アドレス期間及び維持期間に分割される。したがって、例えば、アドレス期間で、第１走査電極及び第１維持電極が通るセルがアドレスされれば、すぐに、そのセルの維持放電動作を行えるものではなく、他の走査電極及び維持電極が通るセルが全てアドレスされる時まで、セルの維持放電動作を待たなければならない。この場合、各サブフィールドにつき、アドレス期間が占める時間が長くなり、これにより維持放電期間が相対的に短くなるので、プラズマディスプレイパネルからの発光輝度が相対的に低くなる問題点がある。
【００１８】
このような問題点を改善するために、アドレス−ディスプレイ同時（Ａｄｄｒｅｓｓ−Ｗｈｉｌｅ  Ｄｉｓｐｌａｙ、以下、“ＡＷＤ”ともいう）駆動方法が提案された。
【００１９】
図４は、従来のＡＷＤ駆動方法を示す図面である。
【００２０】
図４を参照すれば、単位フレームは、時分割階調を表現するために８個のサブフィールド（ＳＦ１〜ＳＦ８）に分割される。ここで、駆動される走査電極（Ｙ１〜Ｙｎ）を基準にして一つの時点から見ると、それぞれの単位サブフィールドは重なるように単位フレームを構成する。したがって、全時点で全てのサブフィールド（ＳＦ１〜ＳＦ８）が存在し、ある一つの時点から見ると、ｉ番目の走査電極には走査パルスが印加されてアドレスされる際に、ｊ番目の走査電極には維持放電パルスが印加されて維持放電される。つまり、アドレシングとディスプレイが同時に行われる。この場合にも、プラズマディスプレイパネルの輝度は、単位フレームに占める維持期間（Ｓ１〜Ｓ８）の合計長さに比例するので、２５６の階調を表現することができる。
【００２１】
図５は、特許文献１に示されたＡＷＤ駆動波形を示す図面（図１９）である。
【００２２】
図５において、ＥＰは消去パルスであり、以前の維持放電の時に積もった壁電荷を消去する役割をする。なお、ＲＰｙはリセットパルスであり、アドレス動作を行う前に放電セルの状態を初期化するために用いられる。そして、ＤＰｉとＳＰは、それぞれアドレスパルスとスキャンパルスであり、このアドレスパルス（ＤＰｉ）とＹ電極のスキャンパルス（ＳＰ）により、アドレス電極には負の壁電荷が積もり、Ｙ電極には量の壁電荷が積もる。ＩＰｙとＩＰｘは、それぞれＹ電極及びＸ電極に印加される維持放電パルスであり、図５に示すように、特定のＹ電極に走査パルスが印加されてアドレシングされる間にも、他のＹ電極またはＸ電極に維持放電パルスが印加されて維持放電される。
【特許文献１】米国特許第６，４９５，９６８号明細書
【特許文献２】日本特開第２００２―２３６９３号（特許文献１の原出願公開）
【００２３】
しかし、図５に示すような従来のＡＷＤ駆動方法によると、走査電極（Ｙ）にだけスキャンパルスが印加される。そのため、スキャンパルスの幅が狭くなり、正確なアドレス動作がむずかしくなるという短所があり、また、スキャンパルスの数も制限されるため、サブフィールドの数も制限されるという問題がある。
【００２４】
そして、図５に示すように、従来ＡＷＤ駆動で用いられるリセットパルスは、ＡＤＳ駆動で用いられるリセット波形に比べると、時間的に非常に短いため、暗室コントラスト比（以下、“ＤＲＤＣ”ともいう）が悪くなるという問題がある。
【００２５】
また、図５に示すような従来のＡＷＤ駆動方法によると、Ｘ電極には維持放電パルス（ＩＰｘ）だけが印加されるが、Ｙ電極には維持放電パルス以外にも消去パルス（ＥＰ）、リセットパルス（ＲＰｙ）、スキャンパルス（ＳＰ）が印加される。これにより、Ｙ電極駆動回路とＸ電極駆動回路が異なってしまい、Ｘ電極駆動回路とＹ電極駆動回路との間にインピーダンスマッチングをすることができないので、維持放電期間にＸ電極及びＹ電極に交互に印加される波形が歪み、放電不良が発生する問題がある。
【００２６】
また、従来のＡＷＤ駆動方法によると、Ｙ電極に印加される波形が複雑であるため、Ｙ電極に用いられる電力回収回路も複雑になるという問題がある。
【発明の開示】
【発明が解決しようとする課題】
【００２７】
本発明が解決しようとする技術的課題は、コントラストを向上させるＡＷＤ駆動方法を提供することである。なお、正確なアドレス動作を行うためのＡＷＤ駆動方法を提供すること及び、放電不良を防止するためのプラズマ表示装置及びその駆動方法を提供することも、本発明の技術的課題とする。
【課題を解決するための手段】
【００２８】
このような課題を解決するための本発明の一つの特徴によるプラズマ表示装置の駆動方法は、
維持放電パルスが印加される第１電極及び第２電極と、前記第１電極及び第２電極と同じ方向に伸びている第３電極と、前記第１電極、第２電極及び第３電極に交差する方向に伸びている第４電極と、を含むプラズマ表示装置の駆動方法において、
（ａ）第１期間に、前記第１電極または第２電極に交互に維持放電パルスを印加する段階と、
（ｂ）前記第１期間の一部期間に、前記第３電極にリセット波形を印加する段階と、を含む。
【００２９】
前記課題を解決するための本発明の他の特徴によるプラズマ表示装置の駆動方法は、
維持放電パルスが印加される第１電極及び第２電極と、前記第１電極及び第２電極と同じ方向に伸びている第３電極と、前記第１電極、第２電極及び第３電極に交差する方向に伸びている第４電極と、を含むプラズマ表示装置の駆動方法において、
（ａ）第１期間に、前記第１電極または第２電極に交互に維持放電パルスを印加する段階と、
（ｂ）前記第１期間の一部期間に、前記第３電極にスキャンパルスを印加し、前記第４電極にアドレス電圧を印加する段階と、を含む。
【００３０】
前記課題を解決するための本発明の他の特徴によるプラズマ表示装置は、
維持放電電圧パルスが印加されるＸ電極及びＹ電極と、前記Ｘ電極及び前記Ｙ電極と同じ方向に伸びているＭ電極と、前記Ｘ電極、Ｙ電極及びＭ電極に交差する方向に絶縁されながら伸びているアドレス電極と、を含むプラズマディスプレイパネルと、
放電セルを選択するための表示データ信号を前記アドレス電極に印加するアドレス駆動部と、
前記Ｘ電極またはＹ電極に維持放電を行うための維持放電パルスを、第１期間に印加するＸ電極駆動部及びＹ電極駆動部と、
前記Ｘ電極またはＹ電極に維持放電パルスが印加される間に、前記Ｍ電極にスキャンパルスを印加するＭ電極駆動部と、
前記アドレス駆動部、前記Ｘ電極駆動部、前記Ｙ電極駆動部及び前記Ｍ電極駆動部に制御信号を供給するための制御部と、を備える。
【発明の効果】
【００３１】
本発明によれば、Ｍ電極を利用して、リセットまたはアドレス放電を行うため、コントラストを高めると同時に放電不良を防止することができる。また、Ｍ電極を利用して、リセットまたはアドレス放電を行うため、正確なアドレシングを行うと同時に放電不良を防止することができる。
【発明を実施するための最良の形態】
【００３２】
以下、添付図面を参照しながら、本発明の実施例について詳細に説明する。本明細書及び図面において、実質的に同一の機能構成を有する構成要素については、同一の符号を付することにより重複説明を省略する。
【００３３】
図６は、本発明の実施例によるプラズマ表示装置の電極配列図である。
【００３４】
図６に示すように、本発明の実施例によるプラズマ表示装置には、列方向にアドレス電極（Ａ１〜Ａｍ）が伸びており、ｎ行のＹ電極（Ｙ１〜Ｙｎ）及びＸ電極（Ｘ１〜Ｘｎ）、２ｎ−1行のＭ電極（Ｍ１〜Ｍ２ｎ−１）が行方向に伸びている。つまり、本発明の実施例によれば、Ｙ電極とＸ電極との間にＭ電極が配列され、Ｙ電極、Ｘ電極、Ｍ電極及びアドレス電極からなる一つの放電セル３０は４電極構造を持つ。
【００３５】
この時、本発明の実施例によれば、Ｘ電極及びＹ電極には、維持放電パルスが印加され、Ｍ電極にはリセット波形及びスキャンパルスが印加される。
【００３６】
図７は、本発明の実施例によるプラズマディスプレイパネルの斜視図であり、図８は図７に示すプラズマディスプレイパネルの断面図である。
【００３７】
図７及び図８を参照すると、本発明の実施例によるプラズマディスプレイパネルは、対向する基板対、つまり、第１基板４１及び第２基板４２を備える。前記第１基板４１の対向面上には、Ｘ電極５３とＹ電極５４とが形成される。また、前記Ｘ電極５３及びＹ電極５４の上には、各々のバス電極４６が形成される。また前記Ｘ及びＹ電極５３、５４（バス電極４６を含む）の上には、誘電体層４４と保護膜４５とが順次に形成される。
【００３８】
一方、第２基板４２の表面には、アドレス電極５５が形成され、前記アドレス電極５５の上には誘電体層４４′が形成される。前記誘電体層４４′の上には、隔壁４７が形成されることにより、隔壁４７の間に放電空間であるセル４９が形成される。隔壁４７の間のセル４９空間で、隔壁４７の表面には蛍光体４８が塗布される。前記Ｘ及びＹ電極５３、５４は、前記アドレス電極５５と直交するように形成される。
【００３９】
この際、本発明の実施例によれば、第１基板４１の表面に形成された一対のＸ電極５３とＹ電極５４との間にＭ電極５６が形成される。前述したように、このＭ電極には主にリセット波形及びスキャンパルスが印加される。Ｍ電極５６の上には、この電極のバス電極４６が形成される。なお、バス電極４６は各電極の信号電流を流すためのもので、異なる種類の電極に各々取付けたバス電極が互いに直結されることはない。
【００４０】
図６乃至図８に示す本発明の実施例によるプラズマディスプレイパネルは、Ｘｉ電極とＹｉ電極との間、Ｘｉ電極とＹｉ＋１電極との間の全てにＭ電極が備えられている構造を示す。つまり、ｎ行のＸ電極及びＹ電極がある場合、２ｎ−１行のＭ電極がある構造を表す。
【００４１】
しかし、Ｘｉ電極５３とＹｉ電極５４との間にはＭ電極５６を備え、Ｘｉ電極とＹｉ＋１電極との間にはＭ電極を備えなくてもいい。このような場合には、Ｘ電極、Ｙ電極及びＭ電極は、すべてｎ行である。
【００４２】
また、Ｘｉ電極５３とＹｉ＋１電極５４との間にはＭ電極５６を備え、Ｘｉ電極とＹｉ電極との間にはＭ電極を備えなくてもいい。このような場合には、Ｘ電極及びＹ電極はｎ行で、Ｍ電極はｎ−１行である。
【００４３】
図９は、本発明の実施例によるＡＷＤ駆動波形図であり、図１０は、図９に示す駆動波形による壁電荷分布を表す図面である。
【００４４】
一方、図９において各期間は、Ｍ電極のうちのＭｉ電極を基準に示したものである。そして、図９において、スキャンパルス（ＳＰｘ）は、Ｍｉ、Ｍｉ＋１、Ｍｉ＋２電極に順次に印加され、スキャンパルス（ＳＰｙ）は、Ｍｉ＋３、Ｍｉ＋４、Ｍｉ＋５電極に順次に印加される。また、リセット波形は、図９では所定の数のＭ電極（６つ、つまり、Ｍｉ〜Ｍｉ＋５）に同時に印加するものを示したが、さらに多いＭ電極に同時に印加することができる。
【００４５】
以下、図９及び図１０を参照して、本発明の実施例によるＡＷＤ駆動方法を説明する。
【００４６】
図９に示すように、本発明の実施例による駆動方法によると、全期間に亘って、Ｘ電極またはＹ電極に交互に維持放電パルスを印加する操作が連続的に行われ、誘導信号（例えば、Ｍ電極のバイアス）を加えれば放電する。Ｍ電極にはリセット波形とスキャンパルスとが順次印加される。このように、本発明の実施例によると、Ｙ電極には、維持放電パルスのみを印加し、スキャンパルスもリセット波形も印加する必要がないので、従来のＡＷＤ駆動に比べて、Ｙ電極の回路を簡素化させることができる。また、本発明の実施例によると、Ｘ電極またはＹ電極に同じく維持放電パルスのみを交互に印加するので、Ｘ電極及びＹ電極の駆動回路を対称に構成することが可能になり、駆動回路どうしのインピーダンスマッチングも簡単にできる。
【００４７】
本発明の実施例によるＡＷＤ駆動方法によると、Ｘ電極、Ｙ電極、Ｍ電極及びアドレス電極からなる放電セルは、リセット期間、アドレス期間及び維持期間を経て放電する。
【００４８】
（１）リセット期間（Ｉ）
この期間は、直前にＸ電極またはＹ電極に印加された維持放電パルスによって形成された壁電荷を消去し、セルの状態を安定化させる期間である。
【００４９】
図９に示す本発明の実施例によると、Ｍ電極の電位をランプ波形で下降させることで、Ｘ電極またはＹ電極に維持放電パルスによって形成された壁電荷を消去させる。この時、本発明の実施例によると、所定の数のＭ電極（図９では６つ）にリセット波形を同時に印加する。一方、図９ではリセット波形が６つのＭ電極（Ｍｉ〜Ｍｉ＋５）に同時に印加されるものを示したが、さらに多いＭ電極に同時に印加されることができる。
【００５０】
つまり、本発明の実施例によると、Ｘ電極またはＹ電極に維持放電パルスを交互に印加しながら、Ｍ電極に電圧Ｖｍから接地電圧まで緩慢に下降する波形（図９ではランプ波形）を印加し、ＸＹ両電極の壁電荷が安定した状態まで消去（消滅）されるようにする。このように、本発明の実施例によるＡＷＤ駆動は、Ｙ電極にリセット波形を印加する従来のＡＷＤ駆動とは異なり、Ｍ電極にリセット波形を印加するので、複数の維持放電パルスを印加する期間に亘って、リセット波形を印加することができる。
【００５１】
従来は、維持放電パルスもリセット波形もＹ電極に印加しなければならないため、一つの維持放電パルスが印加される間に、リセット波形を印加するしかなかった。このような短時間に、リセット波形を印加した結果、リセットによる発光が相対的に強くなってコントラストが低くなる短所があった。しかし、図９に示す本発明の実施例によれば、複数の維持放電パルスが印加される間も継続して、緩慢に下降するリセット波形を印加することが可能で、リセットによる発光を弱めてコントラストを高めることができる。
【００５２】
（２）アドレス期間（ＩＩ）
アドレス期間では、複数のＭ電極をＶｓｃ電圧にバイアスした状態で、Ｍ電極に順次にスキャン電圧（例えば、接地電圧）を有するスキャンパルスを印加し、同時に放電させようとするセル（つまり、点灯させようとするセル）を通るアドレス電極にアドレス電圧を有するアドレスパルスを印加する。これにより、Ｍ電極とアドレス電極との間にリセット直後の放電が起こり、さらに、この放電がＸ電極とＹ電極との間の空間にも拡張される。
【００５３】
本発明の実施例によると、Ｘ電極に維持放電パルスが印加される時間（以下、“Ｘ駆動パルスオン時間”ともいう）またはＹ電極に維持放電パルスが印加される時間（以下、“Ｙ駆動パルスオン時間”ともいう）に、スキャンパルスを印加することができるため、従来に比べて相対的にスキャンパルスの合計有効時間を長くすることができる。図９において、Ｘ駆動パルスオン時間に、Ｍ電極に印加されるパルスをＳＰｘと記載し、Ｙ駆動パルスオン時間に、Ｍ電極に印加されるパルスをＳＰｙと記載した。このように、本発明の実施例によると、従来のＡＷＤ駆動方法に比べて、スキャンパルスの幅を長くすることができるので、正確なアドレス動作を行える。
【００５４】
一方、本発明の実施例によるＡＷＤ駆動方法によると、図９には示さないが、特定のＸ電極とＹ電極との間にあるＭ電極とアドレス電極との間にアドレス放電が行われる間にも、他のＸ電極及びＹ電極に維持放電パルスが印加されて維持放電動作が行われる。
【００５５】
（３）維持放電期間（ＩＩＩ）
本発明の実施例による維持放電期間によれば、Ｍ電極を維持放電電圧Ｖｍにバイアスして誘導信号を形成した状態で、Ｘ電極及びＹ電極に維持放電電圧パルスを交互に印加する。このような諸電圧の印加により、アドレス期間にアドレスパルスを印加した放電セルに維持放電が起こるようになる。
【００５６】
この時、本発明の実施例によれば、維持放電の初期状態の時と正常状態の時には、それぞれ違う放電メカニズムによって放電が発生する。以下、説明を簡単にするため、維持放電の初期状態の放電をショートギャップ放電期間、正常状態の放電をロングギャップ放電期間と称する。
【００５７】
（３−１）ショートギャップ放電期間
維持放電の初期では、図１０（ａ）及び（ｂ）に示すように、Ｘ電極（またはＹ電極）には（＋）電圧を有するパルスが印加され、Ｙ電極（またはＸ電極）には（−）電圧を有するパルスが印加されると同時に、（ここで、＋及び−符号は、Ｘ電極に印加される電圧とＹ電極に印加される電圧の大きさを表した相対的な概念であって、Ｘ電極に（＋）電圧を有するパルスが印加されるというのは、Ｙ電極に印加されるパルスが有する電圧よりも大きな電圧を有するバルスがＸ電極に印加されるということを意味する。）Ｍ電極に（＋）電圧を有するパルスが印加される。したがってＸ電極に維持放電パルスを印加する場合、従来の実施例では、Ｘ電極とＹ電極との間にだけ放電が起こるが、本発明の実施例では、Ｘ電極とＹ電極との間及びＭ電極とＹ電極との間にも放電が起こる。
【００５８】
特に、本発明の実施例によれば、Ｘ電極とＹ電極との間の距離よりもＭ電極とＹ電極との間の距離が近いため、Ｍ電極とＹ電極との間に形成される電界の方が大きい。したがって、Ｘ電極とＹ電極との間の放電よりもＭ電極とＹ電極との間の放電が主導的な役割を果たす。このように、本発明の実施例では、維持放電の初期放電は、相対的に距離が短いＭ電極とＹ電極との間の放電が、主導的な役割を果たすことで、ショートギャップ放電と称するのである。
【００５９】
このように、本発明の実施例によれば、維持放電の初期に、相対的に大きい電界が形成されてショートギャップ放電が発生するので、アドレス期間の後、第１維持放電パルスを印加する時に、放電セル内に充分なプライミング電荷（先導電荷）が存在しなくても、充分に放電を遂行することができる。
【００６０】
（３−２）ロングギャップ放電期間
維持放電期間で、第１維持放電パルスが印加された後には、Ｍ電極に一定の電圧（ＶＭ）がバイアスされるので、Ｍ電極とＸ電極との間の放電、またはＭ電極とＹ電極との間の放電（つまり、ショートギャップ放電）は維持放電に与える影響が小さくなり、Ｘ電極とＹ電極との間の放電は維持放電に与える影響が大きくなる。結局、Ｘ電極及びＹ電極に、交互に印加される放電パルスの数によって、映像を表示することになる。
【００６１】
つまり、図１０の（ｄ）に示すように、定常状態の維持放電期間では、Ｍ電極には（−）壁電荷が次々に蓄積され、Ｘ電極及びＹ電極には（−）壁電荷と（＋）壁電荷とが交互に蓄積される。
【００６２】
このように本発明の実施例によると、維持放電の初期には、Ｘ電極とＭ電極（またはＹ電極とＭ電極との間）のショートギャップ放電により維持放電が遂行されるため、プライミング粒子が少ない状態でも充分な維持放電が遂行され、維持放電の正常状態には、Ｘ電極とＹ電極との間のロングギャップ放電により維持放電が遂行されるため、安定した維持放電が遂行される。
【００６３】
図１１Ａ及び図１１Ｂは本発明の実施例による駆動波形で、Ｍ電極にリセット波形を印加する時、Ｍ電極電位の放電消滅現象に対するシミュレーション結果を示すグラフである。
【００６４】
図１１Ｂは、Ｘ電極、Ｙ電極、Ｍ電極の波形を示す図面である。図１１Ｂに示すように、Ｘ電極及びＹ電極には維持放電パルスの波形が交互に印加され、Ｍ電極にはバイアス電圧（Ｖｍ）を維持したあとに接地電圧に下降するランプ波形が印加される。図１１Ａは、放電空間における電子密度を表す。図１１Ａに示すように、Ｍ電極にランプ波形が印加されるによって、電子密度が次第に減少し、結局、電子密度は“０”になる。ここで、電子密度が０というのは、放電が持続されないことを意味する。
【００６５】
図１２は、本発明の実施例によるプラズマ表示装置を示す図面である。
【００６６】
図１２に示すように、本発明の実施例によるプラズマ表示装置は、プラズマディスプレイパネル１００、アドレス駆動部２００、Ｙ電極駆動部３００、Ｘ電極駆動部４００、Ｍ電極駆動部５００及び制御部６００を備える。
【００６７】
プラズマディスプレイパネル１００は列方向に伸びている複数のアドレス電極（Ａ１〜Ａｍ）、行方向に伸びている複数のＹ電極（Ｙ１〜Ｙｎ）、Ｘ電極（Ｘ１〜Ｘｎ）及びＭｉｊ電極を含む。ここで、Ｍｉｊ電極は、Ｙｉ電極とＸｊ電極との間に形成される電極を意味する。
【００６８】
アドレス駆動部２００は、制御部６００からアドレス駆動制御信号（ＳＡ）を受信して、点灯させようとする放電セルを選択するための表示データ信号を、各アドレス電極に印加する。
【００６９】
Ｙ電極駆動部３００は、制御部６００からＹ電極駆動信号（ＳＹ）を受信して、図９に示す波形をＹ電極に印加する。
【００７０】
Ｘ電極駆動部４００は、制御部６００からＸ電極駆動信号（ＳＸ）を受信して、図９に示す波形をＸ電極に印加する。
【００７１】
Ｍ電極駆動部５００は、制御部６００からＭ電極駆動信号（ＳＭ）を受信して、図９に示す波形を該当Ｍ電極に印加する。
【００７２】
制御部６００は、外部から映像信号を受信して、アドレス駆動制御信号（ＳＡ）、Ｙ電極駆動信号（ＳＹ）、Ｘ電極駆動信号（ＳＸ）及びＭ電極駆動信号（ＳＭ）を生成・出力する。
【００７３】
本発明の実施例によるプラズマ表示装置は、全期間中にＸ電極及びＹ電極に維持放電パルスを交互に印加している状態で、Ｍ電極にリセット波形及びスキャンパルスを印加するため、緩慢に下降するリセット波形を印加することができ、コントラストを向上させることができる。
【００７４】
また、本発明の実施例によるプラズマ表示装置では、Ｘ電極とＹ電極とにほとんど同じ電圧波形が交互に印加されるので、Ｘ電極及びＹ電極を駆動するための回路もほとんど同じように設計することができる。したがって、Ｘ電極及びＹ電極の間のインピーダンスマッチングを簡単にすることができるので、維持放電期間でＸ電極及びＹ電極に印加されるパルス波形が歪むことなく、安定した放電を図ることができる。
【００７５】
以上、本発明の好適な実施例について詳細に説明した。なお、本発明は上記の実施例に限定されることなく、請求範囲で定義されている本発明の基本概念を利用した様々な実施例も本発明の範囲に入る。
【図面の簡単な説明】
【００７６】
【図１】従来の交流型プラズマディスプレイパネルの一部斜視図である。
【図２】従来のプラズマディスプレイパネルの電極配列図である。
【図３】一般的なＡＤＳ駆動方法を示す図である。
【図４】一般的なＡＷＤ駆動方法を示す図である。
【図５】従来のＡＷＤ駆動方法の駆動波形を表す図である。
【図６】本発明の実施例によるプラズマディスプレイパネルの電極配列図である。
【図７】本発明の実施例によるプラズマディスプレイパネルの一部斜視図である。
【図８】本発明の実施例によるプラズマディスプレイパネルの一部斜視図である。
【図９】本発明の実施例によるプラズマディスプレイパネルのＡＷＤ駆動方法の駆動波形を表す図である。
【図１０】図９に示す波形が印加される時の壁電荷分布を表す図である。
【図１１Ａ】本発明の実施例による駆動波形のシミュレーション結果を表す図である。
【図１１Ｂ】本発明の実施例による駆動波形のシミュレーション結果を表す図である。
【図１２】本発明の実施例によるプラズマ表示装置の概略図である。
【符号の説明】
【００７７】
１、６  ガラス基板
２、４４、４４′  誘電体層
３、４５  保護膜
４  走査電極
５  維持電極
７  絶縁体層
８、５５  アドレス電極
９、４７  隔壁
１０、４８  蛍光体
１１、３０  放電空間
１２  放電セル
４１  第１基板
４２  第２基板
４６  バス電極
４９  セル
５３  Ｘ電極
５４  Ｙ電極
５６  Ｍ電極
１００  プラズマディスプレイパネル
２００  アドレス駆動部
３００  Ｙ電極駆動部
４００  Ｘ電極駆動部
５００  Ｍ電極駆動部
６００  制御部
【図１】
2005346050.tif 000003
【図２】
2005346050.tif 000004
【図３】
2005346050.tif 000005
【図４】
2005346050.tif 000006
【図５】
2005346050.tif 000007
【図６】
2005346050.tif 000008
【図７】
2005346050.tif 000009
【図８】
2005346050.tif 000010
【図９】
2005346050.tif 000011
【図１０】
2005346050.tif 000012
【図１１Ａ】
2005346050.tif 000013
【図１１Ｂ】
2005346050.tif 000014
【図１２】
2005346050.tif 000015